(57)【特許請求の範囲】
【請求項１】
ランニングシューズの外踵から足の甲を通り親指の付け根のラインと、内踵から足の甲を通り小指の付け根のライン２本のＸ型になるベルトを付けたシューズで、左右共親指と小指の付け根部分から足の甲に向かってＶ型の切り込みを入れたシューズで、両方のシューズの外側に計測チップ（ＲＣチップ）を取り付けられる細いベルトを付け、靴裏面に親指と小指の付け根を「結ぶ線」に複数の溝を付けたシューズ。
【請求項２】
前記シューズは、普通にシューズのくつひもを結び、足全体を密着させるＸ型になるベルトで、中央の接続用金具を通しベルトが左右に分かれる請求項１で記載したシューズ。
【請求項３】
前記シューズは、親指と小指の付け根部分から足の甲の部分に向ってＶ型カットの切り込みを入れた請求項１または２で記載したシューズ。
【請求項４】
前記シューズは、両方のシューズの外側にマラソン等でＮＥＴタイムを測定できるＲＣチップを取り付けられる細いベルトが付いた請求項１または２で記載したシューズ。
【請求項５】
前記シューズは、左右共シューズの靴裏にステップを妨げない、横に複数の溝を付けた請求項１または２で記載したシューズ。
【発明の詳細な説明】
【技術分野】
【０００１】  本発明は、ランニングシューズに関するものである。
【背景技術】
【０００２】現在各メーカーのランニングシューズは靴紐又は、「マジックテープ（登録商標）」接着で、足の甲を締付けるシューズであり、ランニング中に靴紐でしっかり締め付けても足の裏と踵部分は靴紐が伸び、ゆるくなります。又、長距離ランニングではランニング後半の疲れがでると、足が靴の先端、先端へ少しずつ動き踵部分にあそびが大きくなると共に、つま先の爪を傷める事にもなりかねません。【０００３】  各メーカーのランニングシューズは当然前へ進む足の力をロスなく路面に伝達する様作られていますので、長距離ランニングで足の力が衰えてくると、体重移動と足の動きが悪くなり足が路面にスル度合いが大きくなり、ランニングエネルギーのロスになっています。【０００４】  ベルト締め付け型ランニングシューズは、現在のランニングシューズと同じ様に靴紐で締め付け、さらに靴紐の締め付けの上から、（図１）（図２）及び（図４）のベルト１の外踵から足の甲を通り親指の付け根のラインと、内踵から足の甲を通り小指の付け根のラインを結ぶＸ型で、足の甲の（図２）及び（図４）２の金具の中を通し左右に開くことができ、足指の動きを妨げない、足とシューズの靴裏固定ができ、（図１）（図２）及び（図４）のベルト１のＸ型のベルトにより踵部分が固定でき、長距離ランニングでの後半の疲れによる踵部分にあそびができなくなり、つま先の爪を傷めることもなくなる。【０００５】  （図１）（図２）及び（図４）の３の親指と小指の付け根部分から足の甲に向ってＶ型の切り込みを入れた、着地から踏み出しまでの足の関節部分の指の曲がりを妨げない、Ｖ字のカットしたランニングシューズで、従来のシューズでのランニングステップより、スムーズな走りができ疲れが少なくなる。【０００６】  （図１）及び（図４）の４の細いベルトは靴の外側の締め付けベルトに取り付けてあり、マラソン等でＮＥＴタイムを測定できるＲＣチップを取り付けられるベルトである。【０００７】  （図３）の５靴ソール面に親指と小指をむすぶ横のラインに複数の溝を付け、ステップによるシューズの曲がりをスムーズにし、疲れが少なくなる。
【発明の開示】
【発明が解決しょうとする課題】
【０００８】ランニングシューズは靴紐又は、「マジックテープ（登録商標）」タイプの折り返し金具で締め付けるベルト式があるが、ランニングシューズとしては紐締め付けがほとんどであるが、長時間のステップで足の甲の部分が広がり、靴の履き口が広がり足の甲と踵の部分に遊びができステップの時、踵と靴底に隙間ができランニング中少しずつ靴の中を足が前後に動き、つま先を傷める事もあります。
【０００９】  歩く時、ランニングの時は必ず足の指の付け根部分が曲がります、革靴もランニングシューズでも、一番靴で傷む所は地面と接する靴底の踵部分ですが、靴底以外で最初に傷むのは足の指が曲がる親指と小指の靴の両サイドの靴底に近い部分から傷んできます。それは、靴底以外の所では、靴先の曲がる所の負荷が掛かる所から傷んでくるからです。
【００１０】  長距離用のランニングシューズ、特にマラソンでは多くのレースで、ランニングシューズにＲＣチップを装着してタイム測定をします。ＲＣチップを取り付けるには、靴紐を靴紐穴通しから外し靴紐に装着しますが、大変面倒で特にゴール後の取り外しは疲れている上、非常に取り外し辛いものです。
【００１１】  靴の靴裏は、今のランニングシューズはランニングのステップ時足指の付け根部分でスムーズに曲がる様に作られていますが、足の動きに合う曲がりかたとも思えません。もっと足の動きに合う靴裏の形状にしたほうが良いと考えます。
【発明が解決するための手段】
【００１２】前記の各項目を解決しようとするベルト締め付け型ランニングシューズは、次の通りである。
人は走る時、裸足が一番エネルギーロスが少なく、早く走れるはずですが、他の動物のように足の裏は頑丈に出来ていません。今のランニングシューズに欠けているのは裸足で走る感覚の靴で足の裏と一体となるランニングシューズが必要と考え、請求項１に記載した外踵から足の甲を通し親指の付け根のラインと、内踵から足の甲を通し小指の付け根のライン２本のＸ型になるベルトを付けたシューズで、ベルトの指側（親指・小指共）は靴のデザインに合わせ取り付け、踵の内側、外側共靴紐を締めた後に、足の裏と踵が一体となる様にベルトで締め付け踵部分の「マジックテープ（登録商標）」で締め付け調整し、個人の足の形状差があっても「マジックテープ（登録商標）」止めにすることにより長さ調整できる締め付けベルトです。
【００１３】  上記のベルトは、請求項２で記載した足の甲の部分でベルトの巾に合わせた分離金具を通しベルトが左右に分かれる金具を付けてあり、靴を履いたり脱いだり自由にできるシューズである。
【００１４】  上記のＸ型になるベルトで締めて、足裏と靴底を一体となりステップの時、靴の足指部分が曲がるため靴の甲の部分にシワがよります、長時間のランニングではその靴の甲の部分のシワが大きなランニングエネルギーロスとなります。このエネルギーロスを少なくするために、Ｘ型となるベルトの親指と小指の付け根部分から足の甲に向ってＶ型の切り込みを入れてステップ時のエネルギーロスを少なくするシューズである。
【００１５】長距離レース特にマラソンレースでは、シューズにＲＣチップを装着しタイムを測定します。
現在の靴は靴紐を靴紐穴通しから外しＲＣチップを紐に通し装着しますが、大変面倒で特にゴール後の取り外しは疲れている上、非常に取り外し辛いものです。その面倒な装着を請求項４で記載したＲＣチップを取り付けられる細いベルトを、請求項２のベルトの足の外側に細いベルトの下側は請求項２のベルトと一体にし、ＲＣチップ本体を装着した細いベルトの上側は「マジックテープ（登録商標）」装着とした、ＲＣチップの取り付け取り外しを簡単に又、ランニング中も外れない細いベルトが付いたシューズである。
【００１６】  エネルギーロスを少なくする為には、靴裏のつま先部分の、親指と小指を結ぶ靴裏のステップの時、靴が曲がる部分に複数の溝を付けステップ時のエネルギーロスを少なくするシューズである。
【図面の簡単な説明】
【００１７】
【図１】本発明のベルト締め付け型ランニングシューズの上から見た図
【図２】本発明のベルト締め付け型ランニングシューズの横から見た図
【図３】本発明のベルト締め付け型ランニングシューズの下から見た図
【図４】本発明のベルト締め付け型ランニングシューズを締め付け装着した図
【符号の説明】
【００１８】１  締め付けベルト
２  接続用金具
３  Ｖ型カット部分
４  ＲＣチップを取り付けられる細いベルト
５  複数の溝
【図１】
0004656142.tif 000002
【図２】
0004656142.tif 000003
【図３】
0004656142.tif 000004
【図４】
0004656142.tif 000005